(57)【要約】      （修正有）【課題】大本命から超万馬券迄１００％的中させようとするレース展開別馬単・３連単連勝式競馬予想ソフトの提供。【解決手段】競馬予想をレース展開別に仕分けて長年の１着、２着、３着のデーターをコンピューターで自動監視して常に最高の的中率と回収率を求めていく方式で、大本命から超万馬券までウマタン連勝式、３連複連勝式、更にやがて到来する３連単連勝式馬券迄的確に的中させようとする競馬予想ソフト。【選択図】なし【特許請求の範囲】
【請求項１】
１  競馬予想をレース展開別に仕分けて長年の１着、２着、３着のデーターをコンピューターで自動監視して常に最高の的中率と回収率を求めていく方式で、大本命から超万馬券までウマタン連勝式、３連複連勝式、更にやがて到来する３連単連勝式馬券迄的確に的中させようとする競馬予想ソフト。
２  競馬予想を、レース展開別ソフトを利用して小型コンピューターのディスプレイ、インターネット予想、携帯電話のディスプレイ（アイモード）、ＦＡＸ回線利用のＬモード競馬予想等に用いること。
３  競馬予想を、レース展開別ソフトを利用して本命、中穴、大穴に仕分けて、オッズの打ち込みにより１点予想、買目設定等、ソフトの購入指令により競馬予想の的中率と回収率を高めようとする競馬予想システムで、軸馬には点滅光を用いるもの。
【発明の詳細な説明】
発明者は中学時代親友であった調教師の息子から馬券のノウハウを教わり、後に競馬場で用いられるハンデキャッパー算出方式を基本にした独自のスピード・
2004342054.tif 000002
でに２０数年間研究を重ね１００条に迫る格言を作って独自の予想を重ねて来たが、この間本を出せ等競馬ブック本社等でも奨められたが個人予想では限界がある事を知り、４年前特許庁に実用新案登録を申請し認可を得た。そこでは単に競馬予想に使用するウマレン連勝式コンピューターの登録としているが、この度鳥取県大山競走馬トレイニングセンターのふもとにコンピューターシステムエンジニアによるシステムセンターを設け本格的に馬券予想のソフトを開発し、来年夏発売の３連単連勝式に対応する予想システムの完成に至りＩＥＳ手法の夢でもある１００円玉で１００万円の実現と全くの初心者でもどこの競馬場でも安心して使用できる競馬予想ソフトの特許申請に至ったものである。
【発明の属する技術分野】
競馬場で使用する予想ソフトであり全国３６レースあればその全てをレース展開別に本命、中穴、大穴に仕分けて予想ができる。このソフトは競馬場の各レース毎の競走馬人気指数以下オッズの打込みに始まり馬券の急所であるレース展開を読み取り、コンピューターからの購入指令により馬単、３連単連勝式馬券をより的確に的中させようとするものである。すでに約５年間３０名のＦＡＸモニター会員にも協力を得ながら完成されたもので、ウマレン連勝式ではパーフェクトから９０〜８５パーセント高的中率を保っており、本命戦的中はもとより今年も初日１月５日、２０７，８３０円、ウマタン連勝式的中から１日万馬券６本的中など他に例を見ない。ちなみに１８頭立て３連複馬券でも買目は８１６通りあり、３連単時代になると４８９６通り、それをわずか１２通りの買目で的中させ得る競馬用予想ソフトはまだ世の中に出ていない。
【従来の技術】
競馬予想に関する技術と言えば、一般的には馬の格式、調教、血統、騎手、天候、芝・ダートの適正、距離適正、年齢、馬場適正、その他情報等あらゆるファクターを駆使して本命馬、対抗馬、穴馬と印を付けて予想をしていくのが各専門誌、スポーツ紙の競馬記者のごく一般的な予想の方法である。個人差はあっても１日３〜４レース、多くて５〜６レースの的中が平均値となっている。その他コンピューター予想としては最近の成績とオッズ又は従来からの出目などから予想をしているものもあるが、ＩＥＳ手法のようにスピードタイム迄各馬毎に算出している予想は見受けられない。多くは昔からの消去法又は能力指数等で予想がなされるが、今の世代、個人予想では新馬券の馬単、３連複に対応するにも的中率が低下するのみで限界がある。
【発明が解決しようとする課題】
発明者も競馬ファンの一人として、先にものべたＩＥＳ手法を駆使して各馬のスピード能力計算値から０．１秒の差をも大切にして予想を組み立てているが、ご存じの通りいつも速くて強い馬が勝つとはかぎらないのが競馬である。個人予想の限界を乗り越えて、穴でも万馬券でも的中させるためにはどの方法が一番良いのか？長年データーばかり集めてあらゆる角度から解析してみたが結論には至らなかった。実績から予想の名人と言われるプロ記者達の的中率も約３分の１であり、これを的中率１００％に近づけることが競馬歴５０年の発明者の最大の課題であった。
【課題を解決するための手段】
発想の転換はある日突然現れた。発明者がこの馬は絶対に固い、万人もそれを認め各紙も大本命にしていた馬の、超一番人気のオッズ１．１の馬が４着に破れた。その時の調教師の敗因インタビューの言葉は、「展開が悪かった」の一言であった。そうだ、考えてみると負けた時の原因は不利があった以外はほぼ９０％この言葉で済まされている。展開とは何ぞや。これこそ馬券の急所だと判断した発明者は、的中率１００％を目指してその名もＩＥＳ−Ｔ１００Ｅと名づけ全てのデーターを展開別に仕分けて的中率と回収率を上げるにはこれしかないの信念で、近代馬券１着２着３着まで的中させる大目標を立てて予想ソフトの作成に取り組んだ。但し一挙に解決できるものではなく、ウマレン９０％の実績を残すのにやく５年、その時点でレース展開別の機能のみでもと実用新案登録に至り、４年後システムエンジニアのデーター整理とＮｅｗソフトのシステム編成に成功し、発想以来９年晴れて特許申請に踏み切れたと言うのが発明者のいつわざる気持でもある。
【発明の実施の型態】
発想の転換から生まれたレース展開別競馬予想ソフトを実施するに当っては、次のような方法で取り組むことができる。
１．インターネットを通じで伝達していく。
２．ファクシミリのＬモードを通じて伝達していく。
３．携帯電話のＩモードでディスプレイを通じて伝達していく。
４．競馬予想専用の小型コンピューターを製作して競馬ファンはオッズを打込むことにより独自の予想を組み立てることが出来る。この場合の独自とはオッズは刻々変ることとレース展開を順当と判断するか波乱と読むかにより予想内容が変ることを意味する。
５．ファクシミリで予想内容を送信して伝達する。
６．レース展開別予想ソフトそのものを販売する。
以上のように伝達方法の実施についてはいろいろあるが、発明者としては現在鳥取県大山のふもと競走馬トレーニングセンター（現在建設工事中）の近くにこのレース展開別予想ソフトのコンピューター監視と予想システム編成を目的にシステムセンターを設け、全国ネットで日本中央競馬会、通称ＪＲＡ主催の全競馬場の予想、最大４会場４８レースを一度に競馬開催日の前日（金）（土）に打出せる状態まで実施の準備を整えた。
このシステムセンターからは開催地関東、関西編に区別され、相互のメインレース重賞レースを折り込み各１４レースを提供することとなるが、もう一つの形態としてＩＥＳ手法、今週の狙い目と勝負馬券予想を重賞レース主体に附加して全国競馬ファンのために提供する。
尚このレース展開別馬単、３連単連勝式ＣＰＵソフトは先にものべた通り発明者が他に例を見ない１着・２着・３着のデーターを約３０年間３万レースに近いデーターをコンピューターで処理して、更に馬券の急所である各レース毎の展開を２０区分に仕分けて的中率１００％を目標に基本の本命Ａ、中穴Ｂ、大穴Ｃのソフトにシステム化したものである。実際に使用するにあたってはコンピューターを通じて購入指令が出され自動的にＡ・Ｂ・Ｃを選んでいる。更にＩＥＳ−Ｔ１００Ｅと称して１着、２着、３着を的確に的中させるよう約５年間ＦＡＸ会員約３０名を通じて毎週テストを繰返し今日に至ったもので、ウマレン８５〜９０パーセント内ウマタン６５パーセント、３連複は１４レース予想中５〜１０レース的中で内３連単は２〜５レースとまだ低率ではあるが、１８頭立４８９６通りの買い目をわずか１２通り例えば大穴Ｃで的中させることは人間の頭では至難なことである。
このコンピューターソフトでは普通に考えられない２０万円を超す万馬券も昨年に続き今年も的中させている。今後もこのＴ１００Ｅソフトはより的中率を高めるためのコンピューター監視が、毎週続けられ高性能化の一途をたどる。
【実施例】
以前からのウマレンパーフェクト１４レース全的中は月に１〜２回と的中率１００％の例は数多いが、ここにはウマレン３連複中心にＦＡＸ会員に送信して来たデーターを現物のままコピーしたものを別に添付する。Ｔ１００Ｅソフトからの予想内容は基本Ａ６点、中穴Ｂ９点、大穴万馬券Ｃ１２点の計２７点に集約され、コンピューター内に設定した展開別購入指令でＡ、Ｂ、Ｃいずれかを選び更にＡ、Ｂ、Ｃの購入倍率も変え、ＦＡＸモニター会員の協力で回収率アップと的中率アップに努力して来た。
この予想ソフトＴ１００Ｅは大本命から超万馬券迄どのような難解なレースでも１００％的中を目標としているため、全くの初心者からベテラン迄参入して貰い男女を問わず職種も大手銀行マン、学校教師、会社役員、店長、経理部長、工場長、トラックマンと様々で、使用にあたっては一切の専門誌、スポーツ紙不要としてこのＴ１００Ｅ予想は毎週、土曜日、日曜日ＦＡＸ会員のもと、無料で届けられた。
その結果、他紙に比べて２〜３倍の的中率が確認され会員の中からも早くコンピューター化するよう要請もあり現在に至ったものである。
【発明の効果】
一般的にベテラン競馬記者の的中率は１２レース予想して３〜４レース的中が平均値であり、各専門誌及びスポーツ紙もそれを少し上回る程度の繰返しで馬券の種類が増す程その予想はむずかしくなってきている。
個人予想、人の頭での予想の時代は過ぎようとしており、コンピューターにはついて行けない時代に突入して来た。
１着、２着、３着のソフトに取り組んで既に９年間、月２〜３回のパーフェクトもあるが平均値では、
ウマレンが１日１４レース＝１１〜１２レース的中が最も多く８５〜９０％、
ウマタンが１日１４レース＝５〜９レース的中でウマレンの約６５％、
昨年７月からの３連複が１日１４レース＝５〜９レース的中で平均５０％弱、まだ発売されていない３連単＝２〜５レースで目下テスト中もソフトはＣＰＵ監視で更にパワーアップしていく。
万馬券的中、昨年（平成１４年）＝９９回的中、最大１９万円有り、
本年度目標２００本＝６１回的中（４ヶ月実績）最大２７万円有り、
来年、３連単連勝式馬券が発売されるが１００円玉で１００万円的中はＴ１００Ｅでこそ取れると確信している。地方競馬では、１３頭立でさえ９７５万円が出ている現状である。
【図面の簡単な説明】
2004342054.tif 000003
【手続補正書】
【提出日】平成15年8月11日(2003.8.11)
【手続補正２】
【補正対象書類名】明細書
【補正対象項目名】図面の簡単な説明
【補正方法】変更
【補正の内容】
【図面の簡単な説明】
【図１】開催中の競馬場並びにレースを指定するためのディスプレイ表示の図である。
【図２】レース展開別予想の各ソフトを導くための展開コメント指定用ディスプレイの図。
【図３】レース展開別予想、基本Ａが自動的にディスプレイされた時の図。本線的中率馬連平均５０％の実績。
【図４】レース展開別予想基本Ｂの表示の図。中穴予想の購入指令が表示された時に使用。馬連平均３５％的中の実績。
【図５】レース展開別予想基本Ｃの表示の図。大穴万馬券の購入指令が表示された時に使用。馬連平均１５％的中。万馬券２０万円配当を含め年間２００本の実績。
【符号の説明】
図１、２、３、４、５はレース展開別予想ソフト表示の１例であり各符合の説明は次の通りである。
１、開催日    競馬場の開催している日付。
２、競馬場名    日本中央競馬場１０開場の内開催されている競馬場名。
３、レース名    開催されている競馬場の予想をするレース名。
４、展開コメント指定  この予想はレース展開別に仕分けられた予想ソフトであり、展開コメントは（株）競馬ブック社のを使用する。実験段階より使用認可済。
５、予想基本Ａ本命予想時の日付、競馬場名、レース、展開コメント、出走頭数。実験段階から馬連平均的中率役５０％を維持している。
６、３連単買目表示    １着、２着、３着を的中さすための表示で基本予想は最大６点。
７、購入倍率指示＝は×２倍指示    どのレースでも最も的中率の高いもの３点に回収率アップのため購入倍率２倍の指示が出される。
８、人気指数オッズ順位の表示    競馬予想ではオッズを知ることは大事であり、そのレースの人気順を列記表示している。
９、中穴予想１着、２着、３着の買目    最大９点で馬連平均的中率は３５％の実績。
１０、購入指令Ｃがフリッカーされた図であるがレース展開によりＡ、Ｂ、Ｃいずれかにフリッカーされ、その購入指令に基づき馬券購入すれば良い。
１１、実祭に的中した３連単の１例であるが今迄実験段階でも年間２００本の万馬券を維持する大穴予想の指示は最大１２点。１００円玉で１００万円を目指すＩＥＳ−Ｔ１００Ｅ３連単予想の結集ソフトはこの１２点に収められている。


【手続補正４】
【補正対象書類名】図面
【補正対象項目名】全図
【補正方法】変更
【補正の内容】
【図１】
2004342054.tif 000004
【図２】
2004342054.tif 000005
【図３】
2004342054.tif 000006
【図４】
2004342054.tif 000007
【図５】
2004342054.tif 000008